(57)【特許請求の範囲】
【請求項１】
移動可能な台車と該台車の上に設置されている射出装置とからなり、射出成形機の側方に配置されて該射出成形機と併用されるようになっている射出装置サブユニットであって、
前記台車は床面を走行するベース部と、該ベース部の上に設けられ前記射出装置が載置されている架台部とからなり、前記架台部はモータによって昇降し、それによって前記射出装置の高さが調整されるようになっており、
前記台車には前記射出装置を制御する制御盤が設けられていることを特徴とする射出装置サブユニット。
【請求項２】
請求項１に記載の射出装置サブユニットにおいて、前記架台部にはリニアセンサが設けられ、前記リニアセンサによって検出される前記架台部の高さに基づいて前記射出装置が所望の高さに調整されることを特徴とする射出装置サブユニット。
【発明の詳細な説明】
【技術分野】
【０００１】
本発明は、台車とその上に設置されている射出装置とからなる射出装置サブユニットであって、射出成形機と併用され、射出成形機の射出装置と異なる種類の樹脂を射出して２色成形を実施することができるようになっている射出装置サブユニットに関するものである。
【背景技術】
【０００２】
いわゆる２色成形方法は異なる２種類の樹脂から成形品を成形する方法であり、２台の射出装置からそれぞれ異なる樹脂を射出して成形することができる。２色成形方法を実施するために、１台の型締装置に対して２台の射出装置が設けられている特注対応の射出成形機を使用することもできる。しかしながら、引用文献１に記載されているように、１台の型締装置と１台の射出装置とからなる汎用的な射出成形機に対して、追加の射出装置つまり射出装置サブユニットを併用しても実施できる。この場合、射出装置サブユニットは射出成形機の側方に配置する。そして射出装置サブユニットの射出装置を、射出装置の型締装置に設けられている金型の側方に当接させる。そうすると射出装置サブユニットの射出装置から金型に樹脂を射出できる。このように射出装置サブユニットを併用すると、汎用的な射出成形機によっても２色成形方法が実施できるので成形コストは小さい。なお、射出装置サブユニットは２色成形方法だけでなく大量の樹脂を必要とする大型の成形品を成形する場合にも利用できる。つまり射出装置サブユニットを汎用的な射出成形機に併用し、それぞれの射出装置から同種の樹脂を射出すれば大型の成形品を成形できる。
【先行技術文献】
【特許文献】
【０００３】
【特許文献１】特開平７−１４４３５６号公報
【０００４】
従来の射出装置サブユニット５０は、図２の（Ａ）にその正面図が、その（Ｂ）に側面図が示されているように、台車５１と、この台車５１に設けられている射出装置５２とから概略構成されている。台車５１は車輪５４、５４、…とストッパ５５、５５、…とが設けられており、図示されていない射出成形機の近傍に射出装置サブユニット５０を移動することができ、射出成形機の近傍で固定的に静止させることができるようになっている。台車５１は、ベース部５７と、このベース部５７の上に設けられている架台部５８とからなり、射出装置５２はこの架台部５８に固定されている。ベース部５７には操作ハンドル５９が設けられており、操作ハンドル５９を回転すると所定の昇降機構により架台部５８がベース部５７に対して上下にスライドするようになっている。架台部５８の先端には金型取付面６１が設けられている。架台部５８の高さを調整してこの金型取付面６１を図示されていない金型に整合させ、金型に固定する。そうすると金型に設けられているスプルに対して射出装置サブユニット５０の射出装置５２が整合する。射出装置５２の図示されていない射出ノズルをスプルにタッチして樹脂を射出することができる。
【発明の概要】
【発明が解決しようとする課題】
【０００５】
従来の射出装置サブユニット５０によっても、汎用的な射出成形機と併用して安価に２色成形を実施することはできる。しかしながら解決すべき課題も見受けられる。射出装置サブユニット５０は、射出装置５２を駆動するためのサーボアンプ、サーボアンプに電力を供給するコンバータ、射出装置５２のヒータに電力を供給するヒータ制御回路、そしてこれらを制御するＰＬＣ等が必要であり、これらは図２の（Ｃ）に示されている制御盤６３に設けられている。つまり射出装置サブユニット５０を駆動させるには、別途制御盤６３が必要になる。射出成形機の近傍には射出装置サブユニット５０だけでなく制御盤６３も配置しなければならないので、作業に必要なスペースが制限されるという問題がある。さらには重心位置が高いので安定させるためにベース部５７の上面形状を大きくしなければならないという問題もある。これは、射出装置サブユニット５０において重量の大きい射出装置５２が高所に設けられていて台車５１が比較的空間が大きくなっているからであり、必然的に全体の重心が高くなるからである。他の問題も見受けられる。架台部５８は操作ハンドル５９を操作して上下させるようにしているが、重量の大きい射出装置５２が載置されているので操作に労力を要する。さらに人力で操作すると上下位置の調整の精度が粗くなる問題がある。
【０００６】
本発明は以上のような問題を解決することを目的としており、具体的には、汎用的な射出成形機と併用して２色成形が実施できる射出装置サブユニットでありながら、過度に設置面積を占有することなく作業に必要なスペースが確保され、重心が低く安定しており、そして射出装置サブユニットの射出装置の高さを容易にかつ精度よく調整でき、それによって容易に射出成形機に設けられている金型に接続することができる、射出装置サブユニットを提供することを目的としている。
【課題を解決するための手段】
【０００７】
本発明は、上記目的を達成するために、射出装置サブユニットに制御盤を設ける。すなわち射出装置サブユニットは移動可能な台車と、その上に設置されている射出装置とからなるが、この台車に射出装置を制御する制御盤を設ける。さらに台車は床面を走行するベース部と、この上に設けられて射出装置が載置されている架台部とから構成されているが、この架台部はモータによって昇降するように構成し、それによって射出装置の高さの調整ができるようにする。
【０００８】
すなわち本発明は、移動可能な台車と該台車の上に設置されている射出装置とからなり、射出成形機の側方に配置されて該射出成形機と併用されるようになっている射出装置サブユニットであって、前記台車は床面を走行するベース部と、該ベース部の上に設けられ前記射出装置が載置されている架台部とからなり、前記架台部はモータによって昇降し、それによって前記射出装置の高さが調整されるようになっており、前記台車には前記射出装置を制御する制御盤が設けられていることを特徴とする射出装置サブユニットとして構成される。
請求項２に記載の発明は、請求項１に記載の射出装置サブユニットにおいて、前記架台部にはリニアセンサが設けられ、前記リニアセンサによって検出される前記架台部の高さに基づいて前記射出装置が所望の高さに調整されることを特徴とする射出装置サブユニットとして構成される。
【発明の効果】
【０００９】
以上のように本発明は、移動可能な台車と該台車の上に設置されている射出装置とからなり、射出成形機の側方に配置されて該射出成形機と併用されるようになっている射出装置サブユニットを対象としている。そして本発明によると台車には射出装置を制御する制御盤が設けられている。従って、射出装置サブユニットを使用する場合には射出装置サブユニットだけを射出成形機の側方に設置すればよく、制御盤を設置するスペースを用意する必要がない。すなわち射出成形機の周囲において過度に設置面積が占有されることがなく、作業に必要なスペースが確保される。さらには、従来の射出装置サブユニットにおいては、重量の大きい射出装置が高所に設けられている一方で、台車において何もない空間が大きく、結果的に重心が高くなっているのに対し、本発明においては台車に重量の大きい制御盤が設けられていて何もない空間が小さくなっているので全体的に重心が比較的低い。そうすると台車は安定しやすくなるという効果が得られる。そして本発明によると、台車は床面を走行するベース部と、該ベース部の上に設けられ射出装置が載置されている架台部とからなり、架台部はモータによって昇降し、それによって射出装置の高さが調整されるようになっている。モータによって昇降させるので射出装置の高さを容易にかつ精度よく調整できる。従って容易に射出成形機に設けられている金型に接続することができる。
【図面の簡単な説明】
【００１０】
【図１】本実施の形態に係る射出装置サブユニットを示す図で、その（Ａ）は射出装置サブユニットの正面図、その（Ｂ）はその（Ａ）においてＸ方向からみた射出装置サブユニットの側面図、そしてその（Ｃ）はその（Ｂ）において符号Ｙで示されている部分を拡大して断面を示す射出装置サブユニットの一部断面図である。
【図２】従来例を示す図で、その（Ａ）、（Ｂ）はそれぞれ従来の射出装置サブユニットの正面図と側面図であり、その（Ｃ）は射出装置サブユニットの射出装置を制御する制御盤を示す正面図である。
【発明を実施するための形態】
【００１１】
以下、本発明の実施の形態について説明する。本実施の形態に係る射出装置サブユニット１は、概略図１の（Ａ）、（Ｂ）のように構成されている。すなわち射出装置サブユニット１は、移動可能な台車２と、この台車２に設けられている射出装置３と、後で説明する制御盤４とから構成されている。本実施の形態に係る射出装置サブユニット１も、従来の射出装置サブユニットと同様に、図示されていない射出成形機と併用されるようになっており、射出成形機に設けられている射出装置を第１の射出装置とすると、射出装置サブユニット１の射出装置３は第２の射出装置として使用され、例えば第１、２の射出装置から異なる種類の樹脂を射出すれば２色成形を実施することができるようになっている。
【００１２】
本実施の形態に係る射出装置サブユニット１においても、台車２は大きく２個の部分から構成されている。すなわち床面を走行するようになっているベース部５と、このベース部５に対して上下に昇降すると共に射出装置３が載置される架台部６とから構成されている。ベース部５には床面を走行するための車輪８、８、…が設けられていると共に、ベース部５を床面に固定するためのストッパ９、９、…が設けられている。移動時にはストッパ９、９、…は上方に持ち上げられて床面から離間するようになっているが、停止時には床面に押しつけるようになっている。
【００１３】
従来の射出装置サブユニット１と同様に、本実施の形態に係る射出装置サブユニット１も架台部６を昇降させて射出装置３の高さを調整できる。つまり図示されない射出成形機に設けられている金型に対して射出装置３の高さを整合させることができるようになっている。従来の射出装置サブユニットにおいては射出装置の高さ調整は手動で実施する必要があったが、本実地の形態に係る射出装置サブユニット１は架台部６を電動式に昇降できる点に特徴がある。これを説明する。
【００１４】
本実施の形態において、架台部６には２本のパイプ脚１１、１１が設けられパイプ脚１１、１１はベース部５に設けられている筒部１２、１２に摺動自在に挿入されている。パイプ脚１１には、図１の（Ｃ）に示されているように、その下部において雌ネジからなる雌金具１４が固定されている。そして雌金具１４には、ベース部５に対して回転可能に設けられている雄ネジ１５が螺合している。従って雄ネジ１５が回転すると、雌金具１４とパイプ脚１１とが一体的に上下して架台部６と射出装置３とが昇降するようになっている。なお、図１の（Ｃ）には一方のパイプ脚１１のみ示されているが、他方のパイプ脚１１においても同様に雌金具１４が設けられ、雄ネジ１５が螺合している。
【００１５】
台車２のベース部５には、その下部において２本の雄ネジ１５、１５のそれぞれに対応するように２個のギヤボックス１７、１７が設けられ、このギヤボックス１７、１７に雄ネジ１５、１５が挿入されている。なお、図１の（Ｃ）には１個のギアボックス１７のみ示されており、他のギアボックス１７については図示されていない。これらの２個のギアボックス１７、１７には１本の水平シャフト１８が回転可能に挿入されている。ギアボックス１７、１７内には傘歯車が設けられており、水平シャフト１８を回転すると水平シャフト１８の回転が雄ネジ１５、１５に伝達されることになる。ベース部５にはモータ２０が設けられ、モータ２０の回転軸と水平シャフト１８とにはそれぞれプーリ２１、２２が設けられ、タイミングベルト２４によって回転が伝達されるようになっている。従って、モータ２０を回転すると、水平シャフト１８を介して雄ネジ１５、１５が回転し、架台部６と射出装置３とが昇降する。図示されていないが、本実施の形態において架台部６にはリニアセンサが設けられており、架台部６の高さが検出できるようになっている。次に説明する制御盤４に設けられているコントローラによって、架台部６の高さが検出されモータ２０が制御される。従って射出装置３を所望の高さに調整できる。なお、モータ２０としてサーボモータを採用するようにすれば、リニアセンサを設けなくても正確に射出装置３の高さを調整できる。
【００１６】
本実施の形態に係る射出装置サブユニット１は、制御盤４が一体化されている点に特徴がある。制御盤４には、図示されていないが、複数の制御機器等が設けられている。すなわち、射出装置３の射出軸、可塑化軸等の複数個のサーボモータを駆動するための複数個のサーボアンプ、これら複数個のサーボアンプに電力を供給するコンバータが設けられている。そして、射出装置３のヒータに電力を供給するヒータ制御回路も設けられている。さらにこれらを制御するＰＬＣ等のコントローラも設けられている。このように制御盤４が一体化されているので、本実施の形態に係る射出装置サブユニット１は設置スペースが比較的小さくなっている。制御盤４のコントローラは、射出成形機のコントローラに接続されるようになっており、射出成形機において実施される成形サイクルに同期して射出装置３を制御するようになっている。なお、本実施の形態に係る射出装置サブユニット１においては、制御盤４にモニタは接続されていない。モニタは、制御盤４内のコントローラの設定を変更するなどメンテナンス時に必要になるが、例えばノートパソコン等を一時的に接続するようにしてもよいし、射出成形機に設けられているモニタに接続してもよい。
【符号の説明】
【００１７】
１    射出装置サブユニット            ２    台車
３    射出装置                        ４    制御盤
５    ベース部                        ６    架台部
８    車輪                            ９    ストッパ
１１    パイプ脚                      １２    筒部
１４    雌金具                        １５    雄ネジ  
１７    ギアボックス                  １８    水平シャフト
２０    モータ                        ２１    プーリ
２２    プーリ                        ２４    タイミングベルト
【要約】
【課題】設置スペースが小さく、重心が低く安定しており、そして射出装置の高さを容易にかつ精度よく調整できる射出装置サブユニットを提供する。
【解決手段】射出装置サブユニット（１）に制御盤（４）を設ける。すなわち射出装置サブユニット（１）は移動可能な台車（２）と、その上に設置されている射出装置（３）とからなるが、この台車（２）に射出装置（３）を制御する制御盤（４）を設ける。なお制御盤（４）はサーボアンプ、コンバータ、ＰＬＣ等のコントローラ等から構成される。台車（２）は床面を走行するベース部（５）と、この上に設けられて射出装置（３）が載置されている架台部（６）とから構成されているが、本発明においては、この架台部（６）はモータ（２０）によって昇降するように構成する。つまりモータ（２０）によって射出装置（３）の高さの調整ができるようにする。
【選択図】図１【図１】
0006873584.tif 000002
【図２】
0006873584.tif 000003